(57)【要約】【課題】黒板等の被磁着体に磁着可能で、画像を映写可能であり、しかもチョークによる板書が可能なマグネットスクリーン装置を提供すること。【解決手段】収納ケース１と、収納ケース１に回動自在に取り付けられた巻き取りロール２と、巻き取りロール２に巻き取られた収納状態から、収納ケース１から引き出されて使用状態とされるスクリーン本体３とを備える。そして、スクリーン本体３が、表面層３１、スクリーン層３２、マグネット層３３とがこの順序で積層されたものであり、表面層３１は透光性を有し、表面粗さＲｚが５μｍ以上２５μｍ以下であり、スクリーン層３２の色が、ＣＩＥＬａｂ色空間表示系におけるＬ＊、ａ＊、ｂ＊が下記式を満足するものであることを特徴とする。  ４５＜Ｌ＊＜９８，−３０＜ａ＊＜３０，−３０＜ｂ＊＜３０【選択図】図２
2019120893.tif 000002
【特許請求の範囲】
【請求項１】
収納ケースと、
前記収納ケースに回動自在に取り付けられた巻き取りロールと、
前記巻き取りロールに巻き取られた収納状態から、前記収納ケースから引き出されて使用状態とされるスクリーン本体と、
を備えたマグネットスクリーン装置であって、
前記スクリーン本体が、表面層、スクリーン層、マグネット層がこの順序で積層されたものであり、
前記表面層は透光性を有し、表面粗さＲｚが５μｍ以上２５μｍ以下であり、
前記スクリーン層の色が、ＣＩＥＬａｂ色空間表示系におけるＬ＊、ａ＊、ｂ＊が下記式を満足するものであることを特徴とするマグネットスクリーン装置。
４５＜Ｌ＊＜９８，−３０＜ａ＊＜３０，−３０＜ｂ＊＜３０
【請求項２】
可搬可能なマグネットスクリーン装置であって、
前記スクリーン本体の引き出し方向先端部が被磁着体に磁着され、前記収納ケースを移動させながら前記スクリーン本体が前記収納ケースから引き出されて被磁着体に順次磁着して使用状態とされる請求項１に記載のマグネットスクリーン装置。
【請求項３】
前記スクリーン本体の巻き取り方向の一端部におけるマグネット層側の面が、前記巻き取りロールに接合され、
前記スクリーン本体は、マグネット層側を内側として前記巻き取りロールにロール状に巻き取られる請求項１又は２に記載のマグネットスクリーン装置。
【請求項４】
固定式のマグネットスクリーン装置であって、
前記収納ケースが被磁着体の上方の所望位置に固定され、
前記スクリーン本体が前記収納ケースから下方向に引き出され被磁着体に磁着されて使用状態とされる請求項１に記載のマグネットスクリーン装置。
【発明の詳細な説明】
【技術分野】
【０００１】
本発明はマグネットスクリーン装置に関し、より詳細にはスクリーン本体を黒板等の被磁着体に磁着させるマグネットスクリーン装置に関するものである。
【背景技術】
【０００２】
近年、インターネットが急速に普及し、教育現場においてもＩＣＴ（Information & Communication Technology:情報通信技術）が取り入れられつつある。例えば、スライドプロジェクターやオーバーヘッドプロジェクターを用いてスクリーンに画像を映写して学習に活用することが行われている。一方で、従来と同様に黒板へのチョークによる板書で学習することも行われている。
【０００３】
ところが、従来の黒板に画像を映写するとハレーションが生じて画像の一部が白くぼやけて不鮮明になるため、従来の黒板をスクリーンとして用いることはできなかった。そこで、これまで通りチョークで板書ができて、しかも画像を映写できる黒板の潜在的な要望は強く、現在開発検討され一部実用化もされているようである。
【０００４】
しかしながら、既に設置されている従来の黒板を、チョークでの板書と画像の映写とが可能な新しい黒板に全て取り替えることは、時間、労力、費用などの観点から容易ではない。
【０００５】
他方、必要なときに収納ケースからスクリーン本体を展開して黒板に磁着し、スクリーン本体に画像を映写可能とする可搬式のマグネットスクリーン装置が提案され市販もされている（例えば特許文献１）。
【先行技術文献】
【特許文献】
【０００６】
【特許文献１】特開２０１６−３８４７５号公報
【発明の概要】
【発明が解決しようとする課題】
【０００７】
しかしながら、従来の可搬式のマグネットスクリーン装置は画像の映写を主目的としているためスクリーン表面色が白色系でありチョーク（白）による板書の識別が困難であった。またスクリーン表面が滑らかでチョークによる板書がそもそも困難であった。
【０００８】
本発明はこのような従来の問題に鑑みてなされたものであり、その目的は、黒板等の被磁着体に磁着可能で、画像を映写可能であり、しかもチョークによる板書が可能なマグネットスクリーン装置を提供することにある。
【課題を解決するための手段】
【０００９】
前記目的を達成する本発明に係るマグネットスクリーン装置は、収納ケースと、前記収納ケースに回動自在に取り付けられた巻き取りロールと、前記巻き取りロールに巻き取られた収納状態から、前記収納ケースから引き出されて使用状態とされるスクリーン本体とを備えたマグネットスクリーン装置であって、前記スクリーン本体が、表面層、スクリーン層、マグネット層がこの順序で積層されたものであり、前記表面層は透光性を有し、表面粗さＲｚが５μｍ以上２５μｍ以下であり、前記スクリーン層の色が、ＣＩＥＬａｂ色空間表示系におけるＬ＊、ａ＊、ｂ＊が下記式を満足するものであることを特徴とする。
４５＜Ｌ＊＜９８，−３０＜ａ＊＜３０，−３０＜ｂ＊＜３０
【００１０】
なお、本明細書において表面層の表面粗さＲｚはＪＩＳ  Ｂ  ０６０１−２００１に従って測定した値である。また、ＣＩＥＬａｂ色空間表示系におけるＬ＊、ａ＊、ｂ＊はＪＩＳ−Ｚ−８７０１又はＪＩＳ−Ｚ−８７２８に従って測定した値である。
【００１１】
また、前記構成のマグネットスクリーン装置において、可搬可能なマグネットスクリーン装置であって、前記スクリーン本体の引き出し方向先端部が被磁着体に磁着され、前記収納ケースを移動させながら前記スクリーン本体が前記収納ケースから引き出されて被磁着体に順次磁着して使用状態とされる構成であってもよい。
【００１２】
前記構成のマグネットスクリーン装置において、前記スクリーン本体の巻き取り方向の一端部におけるマグネット層側の面が、前記巻き取りロールに接合され、前記スクリーン本体は、マグネット層側を内側として前記巻き取りロールにロール状に巻き取られるのが好ましい。
【００１３】
また、前記構成のマグネットスクリーン装置において、固定式のマグネットスクリーン装置であって、前記収納ケースが被磁着体の上方の所望位置に固定され、前記スクリーン本体が前記収納ケースから下方向に引き出され被磁着体に磁着されて使用状態とされる構成であってもよい。
【発明の効果】
【００１４】
本発明のマグネットスクリーン装置によれば、黒板等の被磁着体に磁着可能で、画像を映写可能であり、しかもチョークによる板書が可能となる。
【図面の簡単な説明】
【００１５】
【図１】本発明に係るマグネットスクリーン装置の第１実施形態を示す全体斜視図である。
【図２】図２は図１のＡ−Ａ線断面図である。
【図３】キャップ部材の斜視図である。
【図４】巻き取りロールと押さえロールとがキャップ部材によって収納ケースに支持されている状態を示す幅方向一方側の斜視図である。
【図５】巻き取りロールと押さえロールとがキャップ部材によって収納ケースに支持されている状態を示す幅方向他方側の斜視図である。
【図６】マグネットスクリーン装置を黒板に磁着させる工程を示す正面図である。
【図７】図６のＢ−Ｂ線断面図である。
【図８】本発明に係るマグネットスクリーン装置の第２実施形態を示す正面図である。
【図９】図８のＣ−Ｃ線断面図である。
【発明を実施するための形態】
【００１６】
以下、本発明を図に基づきさらに詳しく説明するが本発明はこれらの実施形態に何ら限定されるものではない。なお、本明細書において「スクリーン本体の幅」とは、スクリーン本体の引き出し方向に対して直交する方向のスクリーン本体の一方端から他方端までの長さをいうものとする。
【００１７】
（マグネットスクリーン装置の構成）
図１は、本発明に係るマグネットスクリーン装置Ｓ１の第１実施形態を示す全体斜視図であり、図２は図１のＡ−Ａ線断面図である。これらの図に示すマグネットスクリーン装置Ｓ１は、幅方向に長い収納ケース１と、収納ケース１内に回動自在に取り付けられた巻き取りロール２と、引き出し方向後端部が巻き取りロール２に接合されて、巻き取りロール２から引き出され、また巻き取りロール２に巻き取られるスクリーン本体３と、スクリーン本体３の引き出し方向先端部に接合された幅方向に長い板状の固定用バー４と、収納ケース２内に回動自在に取り付けられた押さえロール５とを有する。
【００１８】
（収納ケース）
収納ケース１は、幅方向両端部が開口で略円筒状のケース本体１１と、ケース本体１１の幅方向両端部の開口を封鎖する一対のキャップ部材１２ａ，１２ｂとを有する。ケース本体１１には幅方向の全体にわたって開口した細長い開口部１３が形成されている。ケース本体１１の内部にはスクリーン本体３を巻き取った巻き取りロール２を収納可能な空間１４が確保されており、図２に示す幅方向に対して垂直断面においてこの空間１４から開口部１３に向けて高さ方向の幅がすぼまった形状を有している。ケース本体１１の被着磁体と当接する高さ方向下側面には断面四角形の浅い凹部１５が幅方向に連続して設けられている。そして、厚みが凹部１５の深さ以下である永久磁石１６が幅方向所定間隔で凹部１５に取り付けられている。これにより、収納ケース１は永久磁石１６によって黒板などの被磁着体の任意の位置にがたつくことなく固定可能となる。もちろん永久磁石１６は凹部１５の幅方向全体に設けられてもよい。なお、本実施形態では、後述するように、一対のキャップ部材１２ａ、１２ｂのケース本体１１への取り付けの際に、キャップ部材１２ａ、１２ｂの位置決め用突出部１２６（図３に図示）が凹部１５の幅方向両端部に係入するので、この部分には永久磁石１６は設けられていない。
【００１９】
（キャップ部材）
図３にキャップ部材１２ａの斜視図を示す。なお、一対のキャップ部材１２ａ，１２ｂは左右対称の形状を有するので、ここでは一方のキャップ部材１２ａの構造のみを説明する。キャップ部材１２ａはケース本体１１の幅方向に対して垂直断面形状と略同一の外形のキャップ本体１２０を有する。キャップ本体１２０の内側面には、巻き取りロール２を支持するための第１ボス１２１と、第１ボス１２１の外周に周方向に等間隔で形成された半径方向に延在する複数個のリブ１２２と、複数個のリブ１２２の半径方向外側端に接続する、第１ボスと同心円状に形成された円筒状のリブ１２３と、押さえロール５を支持するための第２ボス１２４と、第１ボス１２１を中心として略対称位置に形成された２つの貫通孔１２５ａ，１２５ｂと、第１ボス１２１の高さ方向下側に形成された板状の位置決め用突出部１２６とを有する。
【００２０】
（巻き取りロール）
巻き取りロール２は、幅方向に長い円筒形状を有し、内蔵された不図示のスプリングによってスクリーン本体３を巻き取る方向に常に付勢力が付与されている。使用に際してスクリーン本体３はスプリングの付勢力に抗して収納ケース１から引き出される。巻き取りロール２の幅方向両端部には、巻き取りロール２の軸中心を通り外方に突出する支持軸２１（図２に図示）が設けられている。そして、後述するように、支持軸２１が一対のキャップ部材１２ａ，１２ｂの第１ボス１２１内に係入することによって、巻き取りロール２は収納ケース１に回動自在に支持される。
【００２１】
（スクリーン本体）
スクリーン本体３は平面視において四角形のシート状であり、使用時における表面側から順に表面層３１、スクリーン層３２、マグネット層３３が積層された構造を有する（図２の拡大図を参照）。なお、表面層３１とスクリーン層３２との間およびスクリーン層３２とマグネット層３３との間にそれぞれ接着樹脂層が形成されていてもよい。また前記層以外に本発明の効果を害しない限りにおいてその他の層を有していても構わない。
【００２２】
（表面層）
表面層は透光性を有し、表面粗さＲｚが５μｍ以上２５μｍ以下であることが重要である。表面層が透光性であることによって、プロジェクターなどから照射される画像がスクリーン層に映写可能となる。より鮮明な映写画像を得るためには表面層は無色透明であるのが望ましい。
【００２３】
また、表面層の表面粗さＲｚが５μｍ以上２５μｍ以下であることによって、スクリーン本体にチョークでの板書が可能となる。表面層の表面粗さＲｚが５μｍ未満であると、表面層が平坦に近づきチョークが滑って板書性が低下するとともに、映像認識性が低下する。一方、表面層の表面粗さＲｚが２５μｍを超えると、チョーク板書の消去性が低下するとともに、映像認識性が低下する。
【００２４】
（スクリーン層）
スクリーン層は、ＣＩＥＬａｂ色空間表示系におけるＬ＊、ａ＊、ｂ＊が前記式を満足するものであることが重要である。なお、ＣＩＥＬａｂ色空間表示系は、ＸＹＺ表色系に基礎をおき、ＣＩＥ（国際照明委員会）が１９７６年に推奨した表示系である。
【００２５】
Ｌ＊は明度を表わし、０（ゼロ）から１００までで数値が大きいほど明るくなる。本発明ではスクリーン層の明度Ｌ＊は、４５より大きく９８より小さい範囲と定めた。明度Ｌ＊が４５以下であると濃色が過ぎてプロジェクターなどでの映写時に色再現性が低下する。一方、明度Ｌ＊が９８以上であると淡色が過ぎて白色チョークによる板書の視認性が低下する。より好ましい明度Ｌ＊は５０より大きく９３より小さい範囲である。
【００２６】
色度はａ＊，ｂ＊で表わされ、ａ＊，ｂ＊が共に０（ゼロ）の場合には無彩色となり、ａ＊，ｂ＊の絶対値が大きくなるほど色相が強くなる。具体的には、ａ＊が０（ゼロ）からプラス方向に大きくなると赤紫色が強くなり、０（ゼロ）からマイナス方向に大きくなると青緑色が強くなる。ｂ＊が０（ゼロ）からプラス方向に大きくなると黄味が強くなり、０（ゼロ）からマイナス方向に大きくなると青味が強くなる。本発明ではスクリーン層の色度ａ＊，ｂ＊はどちらも−３０より大きく３０より小さい範囲と定めた。色度ａ＊，ｂ＊のいずれかがこの範囲から外れると映像認識性が低下する。より好ましい色度ａ＊，ｂ＊はどちらも−１０より大きく１０より小さい範囲である。
【００２７】
（マグネット層）
マグネット層は磁力及び可撓性を有する。マグネット層は、成形性及び可撓性を得る観点からはマグネット粉末と樹脂とを混合してなるものが好ましい。例えば、フェライト磁石粉などのマグネット粉末とポリ塩化ビニル系樹脂などの樹脂とを混合しシート状に成形したものが挙げられる。マグネット層の製造方法としては、特に限定されず、例えば、上記成分を混合分散して混練した後、押出成形や圧延成形等の方法でシート状に成形する方法等を挙げることができる。マグネット層の磁力によってスクリーン本体は黒板などの被磁着体に固定可能となる。
【００２８】
スクリーン本体３の引き出し方向後端部は、巻き取りロール２に接合されている。具体的には、スクリーン本体３の引き出し方向後端部におけるマグネット層３３側の面（裏面側）が巻き取りロール２に接合されている。これにより、スクリーン本体３はマグネット層３３側を内側として巻き取りロール２にロール状に巻き取られて、スクリーン本体３を収納ケース１から引き出して展開した際の幅方向端部の捲れ上がりが抑制される。
【００２９】
（固定用バー）
固定用バー４はスクリーン本体３の引き出し方向先端部に接合される。固定用バー４の幅方向の長さはスクリーン本体３よりも長く、収納ケース１と略同一である。固定用バー４の被着磁体と当接する外側面には永久磁石４１が取り付けられている。この永久磁石４１によって固定用バー４は黒板などの被磁着体に固定することができる。また、スクリーン本体３が収納ケース１に巻き取られる際には、固定用バー４の幅方向両端部は開口部１３から収納ケース１内に進入することはできず、固定用バー４が収納ケース１の開口部１３の周縁に当接することでスクリーン本体３の巻き取りが完了する。
【００３０】
（押さえロール）
押さえロール５は円筒形状を有し、幅方向の長さはスクリーン本体３の長さ以上で、押さえロール５の外径は収納ケース１の開口部１３の短手方向の長さよりも短く設定されている。押さえロール５の外周面の一部は開口部１３から外に突出し露出している。押さえロール５の幅方向両端部には、押さえロール５の軸中心を通り外方に突出する支持軸５１（図２に図示）が設けられている。そして、後述するように、支持軸５１が一対のキャップ部材１２ａ，１２ｂの第２ボス１２４内に係入することによって、押さえロール５は軸中心が巻き取りロール２の軸中心と平行で且つ収納ケース１に回動自在に取り付けられる。押さえロール５の直径は小さくする方がマグネットスクリーン装置Ｓ１の小型・軽量化が図れるが、極度に小さくすると幅方向において押さえロール５が撓むおそれがある。押さえロール５の好適な直径は１０ｍｍ〜２０ｍｍの範囲である。また、押さえロール５の断面形状は円形でなくてもよく、また回動不能に取り付けられていてもよいが、収納ケース１からスクリーン本体３を引き出し・巻き取る際の押さえロール５とスクリーン本体３との摺擦を低減する観点からは、押さえロール５は断面形状が円形で且つ回動可能であるのが望ましい。
【００３１】
図２に示すように、巻き取りロール２の軸中心と押さえロール５の軸中心とのスクリーン本体３の引き出し方向の距離Ｌは３０ｍｍ〜４５ｍｍの範囲が好ましい。距離Ｌが前記範囲であることにより、装置の大型化を抑えながら押さえロール５によるスクリーン本体３の屈曲劣化や摩耗を抑えることができる。また、収納ケース１を被磁着体に磁着したときの被磁着体から押さえロール５の下端までの距離Ｄは３ｍｍ〜５ｍｍの範囲が好ましい。距離Ｄが前記範囲であることにより、スクリーン本体３を収納ケース１から引き出して被磁着体に磁着させたときに、巻き取りロール２の近傍位置までスクリーン本体３を被磁着体に磁着させることできると共にスクリーン本体３の収納ケース１への円滑な巻き取り及び引き出しが維持される。
【００３２】
（組み立て）
次に、マグネットスクリーン装置Ｓ１の組み立てについて説明する。図４及び図５に巻き取りロール２と押さえロール５とが一対のキャップ部材１２ａ，１２ｂによって収納ケース１に支持されている状態を示す斜視図を示す。なお、図４及び図５では支持されている状態を分かり易くするためにケース本体１１の一部を取り外した状態としている。
【００３３】
まず、ケース本体１１に幅方向端部から巻き取りロール２と押さえロール５とを挿入する。次いで、一対のキャップ部材１２ａ，１２ｂの第１ボス１２１に巻き取りロール２の支持軸２１を係入させ、第２ボス１２４に押さえロール５の支持軸５１を係入させる。また同時に、一対のキャップ部材１２ａ，１２ｂの位置決め用突出部１２６をケース本体１１の凹部１５に係入してキャップ部材１２ａ，１２ｂの位置決めを行い、ケース本体１１の幅方向両端部にキャップ部材１２ａ，１２ｂを嵌め入れる。このとき、キャップ部材１２ａ，１２ｂの貫通孔１２５ａ，１２５ｂ（図３に図示）と、ケース本体１１のネジ穴１７ａ，１７ｂ（図２に図示）とが重なった状態となる。そして、ネジ部材１８ａ，１８ｂ（図１に図示）をキャップ部材１２ａ，１２ｂの貫通孔１２５ａ，１２５ｂに挿通し、ケース本体１１のネジ穴１７ａ，１７ｂに螺合させてキャップ部材１２ａ，１２ｂをケース本体１１にネジ止めする。
【００３４】
（使用手順）
上記構成のマグネットスクリーン装置Ｓ１の使用手順について図６及び図７に基づいて説明する。図６は、被磁着体として黒板ＭＢにマグネットスクリーン装置Ｓ１を磁着させる工程を示す正面図であり、図７は、図６のＢ−Ｂ線断面図である。なお、図６における上下方向、左右方向及び紙面奥行き方向が装置の上下方向、左右方向及び高さ方向である。
【００３５】
本実施形態のマグネットスクリーン装置Ｓ１は可搬性を有し、スクリーン本体３が収納ケース１に巻き取られた収納状態で取手１７を持って運ぶことができる。そして、黒板（被磁着体）ＭＢの所望の位置にまず固定用バー４を磁着させた後、収納ケース１を移動させながらスクリーン本体３を引き出して黒板ＭＢに磁着させる。
【００３６】
図６（ａ）及び図７（ａ）は、マグネットスクリーン装置Ｓ１が永久磁石１６，４１によって黒板ＭＢに磁着した状態図である。ここで、マグネットスクリーン装置Ｓ１の黒板ＭＢにおける取付位置は固定用バー４が所定位置すなわちスクリーン本体３を展開したとき右端となる位置である。
【００３７】
次いで、図６（ｂ）及び図７（ｂ）に示すように、収納ケース１を左方向に移動させる。収納ケース１を移動させることによって、スクリーン本体３が収納ケース１から引き出されて順次黒板ＭＢに磁着していく。このとき、従来のマグネットスクリーン装置では、スクリーン本体３のマグネット層３３と黒板ＭＢとの磁力にのみ頼ってスクリーン本体３を黒板ＭＢに磁着させていたので、スクリーン本体３と黒板ＭＢとの間に空気が入り込んだりシワや弛みが生じることがあった。これに対して、本実施形態のマグネットスクリーン装置Ｓ１では、収納ケース１の開口部１３から押さえロール５の一部が外に突出している。この開口部１３から外に突出した押さえロール５が、収納ケース１から引き出されるスクリーン本体３を黒板ＭＢに押圧するように、黒板ＭＢに対して収納ケース１を傾けた状態で移動させる。これにより、引き出されたスクリーン本体３は押さえロール５で黒板ＭＢに押圧されながら磁着していくので、スクリーン本体３と黒板ＭＢとの間に空気が入り込みにくくなりシワや弛みの発生が防止される。また、収納ケース１の移動方向が幅方向に対して直交する方向となるように移動方向の矯正もなされる。黒板ＭＢに対する収納ケース１の傾き角度は、ケース本体１１の開口部１３の周縁がスクリーン本体３及び黒板ＭＢに接触せず且つ押さえロール５のみがスクリーン本体３に接触し押圧する角度範囲である。
【００３８】
そして、図６（ｃ）及び図７（ｃ）に示すように、スクリーン本体３が所望の長さＷ引き出されたところで、収納ケース１を元の状態に戻して収納ケース１を永久磁石１６によって黒板ＭＢに固定する。このとき、前述のように、押さえロール５の高さ方向下端と黒板ＭＢとの距離Ｄ（図２に図示）が３ｍｍ〜５ｍｍの範囲であると、巻き取りロール２の近傍位置までスクリーン本体３を黒板ＭＢに磁着させることでき広い映写可能範囲を確保できる。引き出し長さＷは、スクリーン本体３の幅方向長さによっても異なるが、通常、最大で１．５ｍ程度である。
【００３９】
使用後のスクリーン本体３の収納ケース１への巻き取りは、前述の引き出し手順と逆の手順で行われる。すなわち、図６（ｃ）及び図７（ｃ）のスクリーン本体３を引き出して展開した状態から、図６（ｂ）及び図７（ｂ）に示すように、収納ケース１を黒板ＭＢに対して傾けた状態で固定用バー４の方向に移動させてスクリーン本体３を巻き取りロール２に巻き取る。このとき、押さえロール５と巻き取りロール２との間の距離が短く、しかもロール間のスクリーン本体３は張架されているので、幅方向のズレや弛みなくスクリーン本体３は巻き取りロール２に巻き取られる。そして、図６（ａ）及び図７（ａ）のスクリーン本体３が収納ケース１に収納された状態となったところで巻き取りが完了する。その後は、必要により、永久磁石１６，４１の磁力に抗してマグネットスクリーン装置Ｓ１を黒板ＭＢから取り外し他の場所に移動させる。なお、前述のように、スクリーン本体３には巻き取りロール２の不図示のスプリングによって巻き取られる方向に常に付勢力が付与されているので、引き出す方向に外力が加わらない限りスクリーン本体３は収納状態を維持する。
【００４０】
（その他）
以上説明した実施形態では、スクリーン本体３はマグネット層３３側を内側として巻き取りロール２に巻き取られていたが、表面層３１を内側として巻き取りロール２に巻き取られる形態としても構わない。ただし、このような形態の場合、巻き取りロール２に巻き取られている間の癖によってスクリーン本体３を展開したときに幅方向両端部が捲れ上がるおそれがあるので、スクリーン本体３はマグネット層３３側を内側として巻き取りロール２に巻き取られる形態が推奨される。
【００４１】
また、前記実施形態では、押さえロール５の幅方向長さはスクリーン本体３の幅以上であったが、押さえロール５の幅方向長さはスクリーン本体３の幅未満であっても構わない。例えば、スクリーン本体３の幅よりの短い複数本の押さえロール５が、スクリーン本体３の幅方向両端部及び必要により幅方向中央部を押圧するように設けられた形態としても構わない。
【００４２】
また、図６及び図７に示した前記実施形態では、収納ケース１は左右方向に移動させてスクリーン本体３の引き出し及び巻き取りを行っていたが、上下方向に収納ケース１を移動させてスクリーン本体３の引き出し及び巻き取りを行っても勿論構わない。あるいは斜め方向に収納ケース１を移動させてスクリーン本体３の引き出し及び巻き取りを行っても構わない。
【００４３】
（第２実施形態）
図８に、第２実施形態に係るマグネットスクリーン装置Ｓ２の正面図を示し、図９に図８（ｂ）のＣ−Ｃ線断面図を示す。前記の第１実施形態のマグネットスクリーン装置Ｓ１は可搬式のものであったが、図８及び図９に示すマグネットスクリーン装置Ｓ２は固定式であって、黒板ＭＢの上方位置に装置の長手方向が水平となるように固定され、スクリーン本体３が収納ケース１から下方向に引き出されて黒板ＭＢに磁着されて使用状態とされるものである。なお、図８及び図９において、第１実施形態に係るマグネットスクリーン装置Ｓ１と同じ部材及び同じ部分には同じ符号を付している。
【００４４】
図８及び図９に示すように、第２実施形態に係る固定式のマグネットスクリーン装置Ｓ２は、左右方向に長い角筒形状の収納ケース１と、収納ケース１内に回動自在に取り付けられた巻き取りロール２と、巻き取りロール２から引き出され、また巻き取りロール２に巻き取られるスクリーン本体３と、スクリーン本体３の引き出し方向先端部に接合された左右方向に長い板状の固定用バー４とを有する。
【００４５】
収納ケース１は左右方向に垂直な断面形状が略矩形状で中空であり、その内部にはスクリーン本体３を巻き取った巻き取りロール２を収納可能な空間１４が確保されている。また、収納ケース１の下面には左右方向の全体にわたって開口した開口部１３が形成されている。開口部１３の左右方向の長さはスクリーン本体３の左右方向長さよりも長く設定されている。これによりスクリーン本体３の引き出し及び巻き取りの際に開口部１３はスクリーン本体３に基本的に干渉しない。
【００４６】
収納ケース１は、被着部材である正面視矩形状の黒板ＭＢの上辺よりも上方において、左右方向に所定間隔隔てて壁ＩＷに取り付けられた一対の取付部材６１によって固定されている。図９に示すように、取付部材６１は水平部６１ａと、水平部６１ａの後端から垂下する垂直部６１ｂとを有する。垂直部６１ｂには複数の貫通孔６１１（図９では２個）が形成されている。この貫通孔６１１にネジ６３のネジ部を挿通させて壁ＩＷにねじ込むことによって取付部材６１は壁ＩＷに固定される。また、取付部材６１の水平部６１ａには複数個の前後方向に長い長穴６２２（図９では１個）が形成されている。ネジ６２のネジ部を長穴６２２に挿通させ、収納ケース１に形成された内周面に雌ネジ部が螺刻された貫通孔１９に螺合させることにより、収納ケース１は取付部材６１に前後方向位置を調整可能に取り付けられる。
【００４７】
巻き取りロール２は、左右方向に長い円筒形状を有し、巻き取りロール２の左右方向両端部には、巻き取りロール２の軸中心を通り外方に突出する支持軸２１が形成されている。左右の支持軸２１が収納ケース１の左右の内側壁にそれぞれ回動自在に支持される。また巻き取りロール２には、内蔵された不図示のスプリングによってスクリーン本体３を巻き取る方向の付勢力が常に付与されている。
【００４８】
スクリーン本体３は、第１実施形態と同様に、前面側から順に表面層３１、スクリーン層３２、マグネット層３３が積層された構造を有する（図９の拡大図を参照）。一方、第２実施形態のマグネットスクリーン装置Ｓ２では、第１実施形態のマグネットスクリーン装置Ｓ１とは異なって、スクリーン本体３と巻き取りローラ２との間に接続部材３４が介在する。すなわち、スクリーン本体３と左右方向の長さが同じで且つ上下方向に所定長さを有し、スクリーン本体３と同じ前後方向厚みを有する帯状の接続部材３４の上端部が巻き取りローラ２に接合し、接続部材３４の下端部がスクリーン本体３の上端部に接合している。接続部材３４は塩化ビニルなどの柔軟性を有する樹脂からなる。
【００４９】
また、スクリーン本体３の下端部には固定用バー４が接合されている。固定用バー４の左右方向の長さはスクリーン本体３よりも長く、また開口部１３よりも長い。これにより、スクリーン本体３の巻き取り時において固定用バー４の左右方向両端部が開口部１３を通過できず収納ケース１の下面に当接し、スクリーン本体３の巻き取りが完了する（図８（ａ）を参照）。また、固定用バー４の後面には、後面と面一となるように永久磁石４１が埋設されている。固定用バー４の下面の左右方向中央部には半円状の取手４２が設けられている。
【００５０】
第２実施形態のマグネットスクリーン装置Ｓ２を使用する場合には、図８（ａ）に示す収納状態から、先端に係止部が形成された棒部材を用いて前記係止部を固定用バー４の取手４２に係合させて下方に引張りスクリーン本体３を収納ケース１から引き出す。そして、所定位置において固定用バー４を黒板ＭＢに磁着させると共に、スクリーン本体３のマグネット層３３の磁力を用いてスクリーン本体３を黒板ＭＢ磁着させる。
【００５１】
ここで、黒板ＭＢが、左右方向中央部が後側に凹んだ凹面形状である場合、スクリーン本体３を黒板ＭＢに磁着させると、スクリーン本体３の左右方向中央部が巻き取りロール２から最も遠くなり、スクリーン本体３の左右方向中央部に他の部分よりも大きな応力が生じるが、マグネットスクリーン装置Ｓ２ではスクリーン本体３と巻き取りロール２との間に柔軟性を有する接続部材３４が介在し、この接続部材３４によって応力が緩和され、スクリーン本体３の皺や弛みが効果的に抑制される。なお、接続部材３４を設けることなく、スクリーン本体３の上下方向の長さを接続部材の長さ程度長く設定して、使用状態としたときにスクリーン本体３に皺や弛みが生じるときにはスクリーン本体３を収納ケース１からさらに引き出してスクリーン本体３の皺や弛みを抑制するようにしてもよい。
【００５２】
図８（ｂ）に示すマグネットスクリーン装置Ｓ２の使用状態では、スクリーン本体３にプロジェクターなどからの画像を映写可能である。また、一般に、黒板ＭＢの下端部に左右方向にわたって受け台７１が設けられており、受け台７１にはチョークＣ（図９に図示）が通常備えられている。マグネットスクリーン装置Ｓ２のスクリーン本体３は、このチョークＣによる板書が可能である。つまり、利用者は黒板ＭＢとスクリーン本体３とで筆記具（チョークとホワイトボードマーカー）を持ち替える必要がなく、チョークによって黒板ＭＢ及びスクリーン本体３に板書が可能となる。これにより利便性が向上する。勿論、スクリーン本体３へのチョークＣによる板書の消去も可能である。使用可能なチョークＣは、白色の他、赤色、黄色など通常使用されるチョーク色であればいずれも使用可能である。
【００５３】
以上説明した第２実施形態のマグネットスクリーン装置Ｓ２ではスクリーン本体は手動によって収納ケース１から下方に引き出されたが、巻き取りロールがモーターなどによって回動するようにしてもよい。
【００５４】
また、第２実施形態のマグネットスクリーン装置Ｓ２では、収納ケース１は黒板ＭＢの上方位置に固定されていたが、黒板ＭＢの上端枠部あるいは黒板ＭＢの上部に固定しても構わない。
【実施例】
【００５５】
（実施例１〜７，比較例１〜６）
図２及び図９に示す構造を備え、表１に示す表面粗さＲｚを有する表面層及び表１に示すＣＩＥＬａｂ色空間表示系におけるＬ＊、ａ＊、ｂ＊を有するスクリーン層を備えたスクリーン本体を作製した。そして、作製したスクリーン本体について下記項目について評価した。評価結果を表１にまとめて示す。なお、評価方法及び評価基準は以下のとおりである。
【００５６】
（チョーク板書性）
白色チョークを使用して、縦、横約５０ｍｍの四角の線を書き、スクリーン本体から１ｍ離れた位置から目視により観察し下記基準で評価した。
評価基準
「○」：線が鮮明に見える。
「△」：線がややむらになって見える。
「×」：線がむらになって見える。
【００５７】
（板書消去性）
白色チョークを使用して、縦、横約５０ｍｍの四角の線を書き、チョーク粉を良く落とした黒板ふきで消した後、筆記跡、消しむらをスクリーン本体から１ｍ離れた位置から目視により観察し下記基準で評価した。
評価基準
「○」：筆記跡が無く消えている。
「△」：やや筆記跡が残る。もしくはやや消しむらが残っている。
「×」：筆記跡が残る。もしくは消しむらが残っている。
【００５８】
（チョーク板書認識性）
白色チョークを使用して、縦、横約５０ｍｍの四角の線を書き、スクリーン本体から８ｍ離れた位置から目視により観察し下記基準で評価した。
評価基準
「○」：線が鮮明に見える。
「△」：不明瞭ではあるが線が見える。
「×」：線が認識出来ない。
【００５９】
（映像認識性）
２５００ルーメンのフロント投射式プロジェクターを用いて、５ｍ離れた位置から８０インチフルカラー動画を投射して、スクリーン本体から３ｍ離れた位置から映像を目視により観察し下記基準で評価した。
評価基準
「○」：映像が鮮明に認識できる。
「△」：映像が不鮮明で認識しづらい。
「×」：映像が不鮮明で認識できない。
【００６０】
（映像色再現性）
２５００ルーメンのフロント投射式プロジェクターを用いて、５ｍ離れた位置から８０インチフルカラー動画を投射して、スクリーン本体から３ｍ離れた位置から映像を目視により観察し下記基準で評価した。
評価基準
「○」：白色のスクリーンに投射したときの映像と同等の色再現性がある。
「△」：白色のスクリーンに投射したときの映像と比べて、色再現性が劣る。
「×」：白色のスクリーンに投射したときの映像に比べて、著しく色再現性が劣る。
【００６１】
【表１】
2019120893.tif 000003
【００６２】
本発明の構成を満足する実施例１〜７のスクリーン本体では、チョーク板書性・消去性・認識性、映像の認識性・色再現性のいずれも実使用上問題のないものであった。
【００６３】
これに対して表面層の表面粗さＲｚが４μｍと凹凸の小さい比較例１のスクリーン本体では、チョーク板書性が悪く、また映像の認識性も悪かった。反対に表面層の表面粗さＲｚが３０μｍと凹凸の大きい比較例２のスクリーン本体では、チョーク板書性は良好であったものの消去性が悪く、また映像の認識性も悪かった。
【００６４】
スクリーン層の明度Ｌ＊が４０と低い比較例３のスクリーン本体では映像の認識性が悪かった。反対に明度Ｌ＊が９９と高い比較例４のスクリーン本体では、チョーク板書の認識性が悪かった。
【００６５】
また、スクリーン層のａ＊が３５と大きい比較例５及びスクリーン層のｂ＊が３５と大きい比較例６のスクリーン本体ではいずれも映像の色再現性が悪かった。
【産業上の利用可能性】
【００６６】
本発明のマグネットスクリーン装置によれば、黒板等の被磁着体に磁着可能で、画像を映写可能であり、しかもチョークによる板書が可能となり有用である。
【符号の説明】
【００６７】
Ｓ１，Ｓ２  マグネットスクリーン装置
１  収納ケース
２  巻き取りロール
３  スクリーン本体
４  固定用バー
５  押さえロール（押さえ部材）
Ｃ  チョーク
１１  ケース本体
１２ａ，１２ｂ  キャップ部材
１３  開口部
１５  凹部
１６  永久磁石
１７  取手
２１  支持軸
３１  表面層
３２  スクリーン層
３３  マグネット層
３４  接続部材
４１  永久磁石
４２  取手
６１  取付部材
ＭＢ  黒板（被磁着体）
１２１  第１ボス
１２２  リブ
１２３  リブ
１２４  第２ボス
１２５ａ，１２５ｂ  貫通孔
１２６  突出部
【図１】
2019120893.tif 000004
【図２】
2019120893.tif 000005
【図３】
2019120893.tif 000006
【図４】
2019120893.tif 000007
【図５】
2019120893.tif 000008
【図６】
2019120893.tif 000009
【図７】
2019120893.tif 000010
【図８】
2019120893.tif 000011
【図９】
2019120893.tif 000012